(57)【要約】【課題】発光部から照射された光の投影形状を形成するフィルター部材として投影型液晶を配置し、該投影型液晶の画素の表示状態をマイクロコンピューターで制御することにより、該投影型液晶に表示された文字や図形などの動画映像を所定の投影位置に投影することが可能な投影型照明装置を提供することを課題とする。【解決手段】ＬＥＤランプなどを光源とする発光部と、発光部から照射された光を透過する投影型液晶表示部と、前記投影型液晶表示部の画素の点灯状態を制御するプログラムを備えたマイクロコンピューターと、前記マイクロコンピューターを操作する操作ボタンと、前記投影型液晶表示部の画素の点灯状態を投影する光路を構成するレンズ系とを備えた。【選択図】図１
2007233315.tif 000002
【特許請求の範囲】
【請求項１】
ＬＥＤランプなどを光源とする発光部と、発光部から照射された光を透過する投影型液晶表示部と、前記投影型液晶表示部の画素の点灯状態を制御するプログラムを備えたマイクロコンピューターと、前記マイクロコンピューターを操作する操作ボタンと、前記投影型液晶表示部の画素の点灯状態を投影する光路を構成するレンズ系とを備えたことを特長とした投影型照明装置。
【請求項２】
請求項１において、前記投影型液晶表示部にはドットマトリックス状の画素パターンを構成し、前記マイクロコンピューターには複数の文字や図形データを制御するプログラムを備えたことを特長とした投影型照明装置。
【発明の詳細な説明】
【技術分野】
【０００１】  本発明は、動画を投影する照明装置に関するものである。
【背景技術】
【０００２】  従来、特開２００１−３２４９４８号広報「投影型照明装置」のように、発光部から照射された光が開穿成型した遮光板を通過することによって遮光版の開口部形状を投影するものであった。また、従来技術としては、発光部から照射された光がパターン印刷されたフィルム素材を通過することによってフィルムに印刷されたパターンを投影するものであった。【０００３】  しかし、開穿成型した遮光版やパターン印刷されたフィルム素材を投影フィルターとして用いた投影型照明装置では固定の図柄しか投影できないとういう欠点があった。【０００４】  この改善策として、３種類ほどのパターン印刷されたフィルム素材を同一の成型部品で固定し、該成型部品を筐体外側からの手動操作によって投影画像を切り替える方法がある。しかしながらこの方法でもフィルム枚数に構造的な限界があることから動画的な映像表現には至っていない。
【発明の開示】
【発明が解決しようとする課題】
【０００５】  そこで本発明は、上記従来技術の問題点に斯かる実情に鑑みなされたもので、発光部から照射された光の投影形状を形成するフィルター部材として投影型液晶を配置し、該投影型液晶の画素の表示状態をマイクロコンピューターで制御することにより、該投影型液晶に表示された文字や図形などの動画映像を所定の投影位置に投影することが可能な投影型照明装置を提供することを課題とする。
【課題を解決するための手段】
【０００６】  請求項１記載の発明は、ＬＥＤランプなどを光源とする発光部と、発光部から照射された光を透過する投影型液晶表示部と、前記投影型液晶表示部の画素の点灯状態を制御するプログラムを備えたマイクロコンピューターと、前記マイクロコンピューターを操作する操作ボタンと、前記投影型液晶表示部の画素の点灯状態を投影する光路を構成するレンズ系とを備えたことを特長とする。【０００７】  請求項２記載の発明は、請求項１において、前記投影型液晶表示部にはドットマトリックス状の画素パターンを構成し、前記マイクロコンピューターには複数の文字や図形データを制御するプログラムを備えたことを特長とする。
【発明の効果】
【０００８】  請求項１記載の発明によれば、ＬＥＤランプなどを光源とする発光部と、発光部から照射された光を透過する投影型液晶表示部と、前記投影型液晶表示部の画素の点灯状態を制御するプログラムを備えたマイクロコンピューターと、前記マイクロコンピューターを操作する操作ボタンと、前記投影型液晶表示部の画素の点灯状態を投影する光路を構成するレンズ系とを備えることにより、前記マイクロコンピューターにプログラムされた画素の制御情報に基づいて表示される前記投影型液晶表示部の画素の点灯状態を所定の投影位置に投影する投影型照明装置を提供することができる。【０００９】  請求項２記載の発明によれば、請求項１に記載された投影型照明装置の構成において、前記投影型液晶表示部にはドットマトリックス状の画素パターンを構成し、前記マイクロコンピューターには複数の文字や図形データを制御するプログラムを備えることにより、文字のスクロール映像やキャラクターの動画映像などのように更に自由度の高い映像を所定の投影位置に投影することができる。
【発明を実施するための最良の形態】
【００１０】  ＬＥＤランプなどを光源とする発光部と、発光部から照射された光を透過する投影型液晶表示部と、前記投影型液晶表示部の画素の点灯状態を制御するプログラムを備えたマイクロコンピューターと、前記マイクロコンピューターを操作する操作ボタンと、前記投影型液晶表示部の画素の点灯状態を投影する光路を構成するレンズ系とを備え、前記マイクロコンピューターにプログラムされた画素の制御情報に基づいて表示される前記投影型液晶表示部の画素の点灯状態を所定の投影位置に投影することができる投影型照明装置。【００１１】  また、上述の投影型照明装置の構成において、前記投影型液晶表示部にはドットマトリックス状の画素パターンを構成し、前記マイクロコンピューターには複数の文字や図形データを制御するプログラムを備えることにより、文字のスクロール映像やキャラクターの動画映像などのように更に自由度の高い映像を所定の投影位置に投影することができる投影型照明装置。
【実施例】
【００１２】  以下、図を参照して、本発明を適用した実施の形態について説明する。まず、図１及び図２の断面図を使用し本発明装置を構成する部材の説明を行う。【００１３】  本体成型１は、光源となるＬＥＤランプ３とプリント基盤２の周囲を筒状に覆う筒形状部４を有しており、該筒形状部４の先端開放部には集光レンズ５を取り付けるスペースを備えている。また、本体成型１の下側には電池６を収納する電池収納部７が設けられており、電池蓋成型８と本体成型１とをネジ止めすることで、電池収納部７に収納した電池６を固定する。プリント基板９にはマイクロコンピューター１０がボンディングされており、図示しないが該マイクロコンピューター１０のスペックに応じた電子部品を備えている。また、プリント基板９の中央部には投光用開口部１１が設けられている。投影型液晶１３はゼブラコネクター１２を介してプリント基板９と接合する。また、ＬＥＤランプ３が取り付けられたプリント基盤２はリード線１４によってプリント基盤９とつながっている。また、操作ボタン１５は、図示しないがマイクロコンピューター１０に入力信号を発信するスイッチ機構を備えている。【００１４】  本体成型１６には投光用開口部１７が設けられており、該投光用開口部１７の内側には集光レンズ１８が配置され、該集光レンズ１８はガイド成型１９によって固定される。また、投光用開口部１７の内側には、集光レンズ１８とガイド成型１９の周囲を覆う筒形状部２０を有しており、該筒形状部２０の先端部内側には投影型液晶１３をはめ込むスペースを有している。【００１５】  図２は、図１の部材を組み立てた状態の筐体内部を示した断面図である。【００１６】  次に図３を使用し本発明装置に用いる投影型液晶の説明を行う。投影型液晶１３の中央部には、縦１６ドット×横１６ドットで構成された合計２５６ドットの画素パターン２１が設けられている。また、該画素パターン２１の全てのドットは複数のコモンと複数のセグメントによって配線されており、各配線の先端は、ゼブラコネクター１２との接点となる接合部２２及び接合部２３に集結している。【００１７】  次に図４を使用して投影型液晶に表示する動画の説明を行う。画像２４、画像２５、画像２６、画像２７の順に複数の画像を切り換えて表示することでキャラクターの歩行動作を表現する画像切り換え表示手段と、画像２８、画像２９、画像３０、画像３１の画像をドット単位で移動させることで文字や図形をスクロール表現するスクロール表示手段と、前記画像切り換え手段及び前記スクロール表示手段の両方を同時に行うことによって、投影型液晶１３内に配置された画素パターン２１に動画映像を表示する。【００１８】  次に図５を使用しプログラムによる処理の説明を行う。操作ボタン１５からの入力信号によってマイクロコンピューター１０内のプログラムが起動し、タイマーカウント処理、ＬＥＤランプ制御処理、表示系制御処理が実行される。【００１９】  タイマーカウント処理では、プログラムが起動した直後からの経過時間の積算を行う。【００２０】  ＬＥＤランプ制御処理では、前記タイマーカウント処理による経過時間が３分未満の場合にはＬＥＤランプ３を点灯し、前記タイマーカウント処理による���過時間が３分に達するとＬＥＤランプ３が消灯するようにプログラムされている。【００２１】  表示系制御処理では、前記タイマーカウント処理による経過時間が３分未満の場合には、前記画像切り換え表示手段と前記スクロール表示手段の一方または両方の手段による動画映像を投影型液晶１３内に配置された画素パターン２１に表示し、前記タイマーカウント処理による経過時間が３分に達すると投影型液晶１３内に配置された画素パターン２１の全画素を消灯し、表示系制御処理を終了するようにプログラムされている。【００２２】  以上説明したように構成することにより、発光部から照射された光の投影形状を形成するフィルター部材として投影型液晶を配置し、該投影型液晶の画素の表示状態をマイクロコンピューターで制御することにより、該投影型液晶に表示された文字や図形などの動画映像を所定の投影位置に投影することが可能な投影型照明装置を提供することができる。また、好ましい実施例を挙げて本発明を説明したが、本発明はその実施例に限定されるものではなく、本発明の要旨の範囲で種々に改変できる。
【図面の簡単な説明】
【００２３】
【図１】  本発明の一実施例である投影型照明装置の構成部材を示す断面図である。
【図２】  本発明の一実施例である投影型照明装置の構成部材を示す断面図である。
【図３】  本発明の一実施例である投影型液晶を示す図である。
【図４】  本発明の一実施例である投影型液晶に表示する画像を示す図である。
【図５】  本発明の一実施例であるプログラム処理を示す図である。
【符号の説明】
【００２４】１      本体成型
２      プリント基板
３      ＬＥＤランプ
４      筒形状
５      集光レンズ
６      電池
７      電池収納部
８      電池蓋成型
９      プリント基板
１０    マイクロコンピューター
１１    投光用開口部
１２    ゼブラコネクター
１３    投影型液晶
１４    リード線
１５    操作ボタン
１６    本体成型
１７    投光用開口部
１８    集光レンズ
１９    ガイド成型
２０    筒形状部
２１    画素パターン
２２    接合部
２３    接合部
２４    画像
２５    画像
２６    画像
２７    画像
２８    画像
２９    画像
３０    画像
３１    画像
【図１】
2007233315.tif 000003
【図２】
2007233315.tif 000004
【図３】
2007233315.tif 000005
【図４】
2007233315.tif 000006
【図５】
2007233315.tif 000007